(57)【要約】【課題】動物や各種キャラクタ−、マスコット人形等のぬいぐるみの腹部と背中部の中心部に取り付けた磁石により、ぬいぐるみの磁石同士、磁性体や非磁性体からなる固定対象物にも磁石の磁力を利用して結合可能としたぬいぐるみを提供する。【解決手段】動物や各種キャラクタ−、マスコット人形等のぬいぐるみの腹部と背中部の中心部に取り付けた磁石により、動物や各種キャラクタ−、マスコット人形等のぬいぐるみの磁石同士、磁性体からなる固定対象物には直接磁石をくっつけ、プラスチック、布、木製等の非磁性体からなる固定対象物には、磁石を保持する枠を設けた磁性体からなる鉄属板等の基台を取り付け、動物や各種キャラクタ−、マスコット人形等のぬいぐるみを磁石の磁力を利用して結合可能とする。【選択図】図１
2005342484.tif 000002
【特許請求の範囲】
【請求項１】
動物や各種キャラクタ−、マスコット人形等のぬいぐるみの腹部と背中部の中心部に取り付けた磁石により、ぬいぐるみの磁石同士、磁性体からなる固定対象物には直接ぬいぐるみの磁石をくっつけ、プラスチック、布、木製等の非磁性体からなる固定対象物には、磁石を保持する枠を設けた磁性体からなる鉄属板等の基台を取り付け、動物や各種キャラクタ−、マスコット人形等のぬいぐるみを磁石の磁力を利用して結合可能としたことを特徴とするぬいぐるみ。
【請求項２】
前記磁石に代えて、腹部と背中部の中心部にマジックテ−プを取り付け、磁石を保持する枠を設けた磁性体からなる鉄属板等の基台に代えて、マジックテ−プを取り付けて結合可能とした請求項１のぬいぐるみ。
【発明の詳細な説明】
【技術文野】
【０００１】  本発明は、動物や各種キャラクタ−、マスコット人形等のぬいぐるみの腹部と背中部の中心部に取り付けた磁石により、ぬいぐるみの磁石同士、磁性体からなる固定対象物には直接ぬいぐるみの磁石をくっつけ、プラスチック、布、木製等の非磁性体からなる固定対象物には、磁石を保持する枠を設けた磁性体からなる鉄属板等の基台を取り付けて、動物や各種キャラクタ−、マスコット人形等のぬいぐるみを磁石の磁力を利用して結合可能としたことを特徴とするぬいぐるみに関するものである。
【背景技術】
【０００２】  従来、動物等のぬいぐるみの手足などに磁石をつけたぬいぐるみはあった。
【発明の開示】
【発明が解決しようとする課題】
【０００３】そのために、次のような問題点があった。
（イ）動物や各種キャラクタ−、マスコット人形等のぬいぐるみの磁石がくっつく金属板等の広い面が必要であった。
（ロ）プラスチック、布、木製等の非磁性体からなる固定対象物には、動物や各種キャラクタ−、マスコット人形等のぬいぐるみを固定対象物の上に置くか吊すことでしか飾ることができなかった。
（ハ）大と小の動物や各種キャラクタ−、マスコット人形等のぬいぐるみ同士が磁石を利用して腹部をくっつけて抱っこする形態や背中部と腹部をくっつけておんぶする形態はなかった。
本発明は、これらの問題を解決するためになされたものである。
【課題を解決するための手段】
【０００４】  動物や各種キャラクタ−、マスコット人形等のぬいぐるみの腹部と背中部の中心部に取り付けた磁石により、ぬいぐるみの磁石同士、磁性体からなる固定対象物には直接ぬいぐるみの磁石をくっつけ、プラスチック、布、木製等の非磁性体からなる固定対象物には、磁石を保持する枠を設けた磁性体からなる鉄属板等の基台を取り付け、動物や各種キャラクタ−、マスコット人形等のぬいぐるみを磁石の磁力を利用して結合可能とする。
そして、磁石をぬいぐるみに取り付けるときは、磁石本体、または磁石に土台を付けて、ぬいぐるみの表面や、磁石の半分をぬいぐるみに埋めて接着剤や、縫製などで固する。また、ぬいぐるみの大きさによって磁石の大きさや、形状をかえて取り付けるこができる。
以上を特徴とするぬいぐるみである。
【発明の効果】
【０００５】（イ）頭、手足が可動な動物や各種キャラクタ−、マスコット人形等のぬいぐるみは、色々なポ−ズでのぬいぐるみの磁石同士、磁性体からなる固定対象物の場合は、望みの箇所に様々なポ−ズを取らせ、簡単に取り付けることができる。
（ロ）固定対象物が、プラスチック、布、木製等の非磁性体であっても、磁石を保持する枠を設けた磁性体からなる鉄属板等の基台を固定対象物に取り付けることによって動物や各種キャラクタ−、マスコット人形等のぬいぐるみを磁石の磁力によって固定対象物に簡単に取り付けることができる。
（ハ）基台に設けられた枠によってぬいぐるみ等の磁石は、基台からずれることなく基台を中心に、動物や各種キャラクタ−、マスコット人形等のぬいぐるみの角度を自由に調節することが出来、ぬいぐるみのかわいらしさを２倍にも３倍にも十二分に表現できる。
【発明を実施するための最良の形態】
【０００６】  以下、本発明の実施の形態について図１〜図７に基づいて説明する。
まず、図１において、本実施例のぬいぐるみ（Ａ）は、頭、手足が可動な熊（親）の座っている状態をモチ−フにしたもので、頭部（１）と胴部（２）と前足（３），（３）と後足（４），（４）を備えている。そして、胴部（２）の腹部（５）と背中部（６）の中心部に磁石（７）と（８）を取り付けてある。【０００７】  図２の本実施例のぬいぐるみ（Ｂ）は、頭、手足が可動な熊（子）をモチ−フにしたもので、ぬいぐるみ（Ａ）と同様、頭部（１）と胴部（２）と前足（３），（３）と後足（４）、（４）を備えている。そして、胴部（２）の腹部（５）と背中部（６）の中心部に磁石（７）と（８）を取り付けてある。【０００８】図３は、ぬいぐるみ（Ａ）の腹部（３）の磁石（７）に、ぬいぐるみ（Ｂ）の腹部（３）の磁石（７）をくっつけて、ぬいぐるみ（Ａ）がぬいぐるみ（Ｂ）を抱っこしている事例を示している。【０００９】図４は、ぬいぐるみ（Ａ）の背中部（４）の磁石（８）に、ぬいぐるみ（Ｂ）の腹部（３）の磁石（７）をくっつけて、ぬいぐるみ（Ａ）がぬいぐるみ（Ｂ）をおんぶしている事例を示している。【００１０】図５は、ぬいぐるみ（Ａ）の腹部（３）の磁石（７）に、ぬいぐるみ（Ｂ）の腹部（３）の磁石（７）を、ぬいぐるみ（Ａ）の背中部（４）の磁石（７）に、ぬいぐるみ（Ｂ）の腹部（３）の磁石（７）をくっつけて、ぬいぐるみ（Ａ）がぬいぐるみ（Ｂ）をおんぶと抱っこしている事例を示している。【００１１】図３、図４、図５に示した様に、各種動物やキャラクタ−、マスコット人形等のぬいぐるみ（Ａ）、（Ｂ）の色、種類、大きさ等を組み合わせることによって色々なポ−ズや、楽しみかたをすることが出来る。また、ぬいぐるみ（Ｂ）の腹中部（４）の磁石（８）を使用しても、色々なポ−ズや、楽しみかたをすることが出来る。【００１２】図６は、プラスチック、布、木製等の非磁性体の固定対象物に各種動物やキャラクタ−、マスコット人形等のぬいぐるみ（Ｂ）を取り付けるために、ぬいぐるみ（Ｂ）の磁石（７）とを（８）保持し、磁石（７）と（８）がずれないように枠（９）を設けた磁性体からなる鉄属板の基台（１０）を示している。【００１３】図７は、プラスチック製の非磁性体からなるペンスタンド（１１）に、磁石（７）と（８）がずれないように枠（９）を設けた磁性体からなる鉄属板の基台（１０）を取り付け、ぬいぐるみ（Ｂ）の腹部（３）の磁石（７）をくっつけた事例を示している。
非磁性体の固定対象物に枠を設けた磁性体からなる鉄属板の基台（１０）を取り付けるときは、枠（９）を設けた磁性体からなる鉄属板の基台（１０）を非磁性体の固定対象物に粘着性両面テ−プや、接着剤等で固定して取り付ける。また、枠（９）を設けた磁性体からなる鉄属板の基台（１０）の形状は、円板やＵの字等でもよい。【００１４】また、磁石（７）と（８）を保持する枠（９）を設けた磁性体からなる鉄属板の基台（１０）の代わりに、磁石を使用することもできる。【００１５】また、動物や各種キャラクタ−、マスコット人形等のぬいぐるみ（Ａ）、（Ｂ）の腹部（３）と背中部（４）の中心部に磁石（７）と（８）を取り付ける代わりにマジックテ−プを取り付けることもできる。【００１６】また、ぬいぐるみ（Ａ）、（Ｂ）の座り状態を安定させるためにお尻の下に磁石を取り付けることも出来る。【００１７】さらに、動物や各種キャラクター、マスコット人形等のぬいぐるみの腹部（３）と背中部（４）の中心部の磁石（７）と（８）を保持する枠（９）を設けた磁性体からなる鉄属板等の基台（１０）を、磁力をとおす薄い布で包み、その布をハ−ト形等の色々な形にしてぬいぐるみに接着剤で固定したり、縫いつけて取り付けることもできる。
【図面の簡単な説明】
【０００１８】
【図１】ぬいぐるみの斜視図
【図２】ぬいぐるみの斜視図
【図３】ぬいぐるみがぬいぐるみを抱っこした斜視図
【図４】ぬいぐるみがぬいぐるみをおんぶをした斜視図
【図５】ぬいぐるみがぬいぐるみを抱っことおんぶをした斜視図
【図６】枠を設けた磁性体からなる鉄属板の基台の斜視図
【図７】ペンスタンドにぬいぐるみを取り付けた斜視図
【符号の説明】
【０００１９】  Ａ  ぬいぐるみ
Ｂ  ぬいぐるみ
１  頭部
２  胴部
３  腹部
４  背中部
５  前足
６  後足
７  磁石
８  磁石
９  枠
１０  磁性体からなる鉄属板の基台
１１  プラスチック製のペンスタンド
【図１】
2005342484.tif 000003
【図２】
2005342484.tif 000004
【図３】
2005342484.tif 000005
【図４】
2005342484.tif 000006
【図５】
2005342484.tif 000007
【図６】
2005342484.tif 000008
【図７】
2005342484.tif 000009